(57)【特許請求の範囲】
【請求項１】
本体部を有するモータと、該モータに電流を供給するための少なくとも１つの熱発生電気要素と、少なくとも１つの熱過敏性電気要素とを一体に備える一体型モータ装置であって、
前記熱発生電気要素は、その熱を前記モータの前記本体部に伝えるように前記本体部と実際に熱伝導接触して配置されており、
前記熱発生電気要素は前記モータに電流を供給するための駆動出力要素であり、前記熱過敏性電気要素は制御要素であり、
前記少なくとも１つの熱発生電気要素と、前記少なくとも１つの熱過敏性電気要素との間に、（ａ）滞留又は開放空気スペースを画成する構造と、（ｂ）熱エネルギーを前記熱過敏性電気要素から離れるよう反射させるべく構成され、かつ配置された放射−反射表面と、のうち少なくとも一方から構成されている熱絶縁手段が設けられている
一体型モータ装置。
【請求項２】
前記放射−反射表面は、放射−反射シート、フィルム又はフォイルから構成されている、請求項１に記載の一体型モータ装置。
【請求項３】
前記少なくとも１つの熱発生電気要素は、電子式電力スイッチ装置と、電流検知抵抗器及び電力抵抗器のうちの少なくとも１つとから構成され、前記熱発生電気要素の全ては共通の装着板に搭載されている、請求項１または２に記載の一体型モータ装置。
【請求項４】
本体部を有するモータと、該モータに電流を供給するための少なくとも１つの熱発生電気要素と、少なくとも１つの熱過敏性電気要素とを一体に備える一体型モータ装置の放熱方法であって、
前記熱発生電気要素は、その熱を前記モータの前記本体部に伝えるように前記本体部に実際に熱伝導接触して配置されており、
前記少なくとも１つの熱発生電気要素及び前記少なくとも１つの熱過敏性電気要素の間に、（ａ）滞留又は開放空気スペースを画成する構造、及び（ｂ）熱エネルギーを前記熱過敏性電気要素から離れるよう反射させるべく構成され、かつ配置された放射−反射表面のうち少なくとも一方から構成されている熱絶縁手段が設けられており、
前記少なくとも１つの熱発生電気要素は、電力スイッチ装置を含み、
前記モータにより発生される熱の量はモータ速度の上昇につれて増加し、前記電力スイッチ装置により発生される熱の量はモータ速度の上昇につれて減少するという補完的熱発生特性を利用して、
前記一体型モータ装置の前記熱発生要素と前記モータとにより発生される熱を消散させる方法。
【発明の詳細な説明】
【技術分野】
【０００１】
本発明は、一体型モータ装置および、その放熱方法に関するものである。
【背景技術】
【０００２】
最近の一体型モータ装置もしくはシステムに採用されている一部の電子要素の熱過敏性は、最高作動温度に制限を課し、そのため最適特性を妨げることになっている。電子式電力スイッチ装置、抵抗器及び同様の要素は、モータ自体により発生される熱の量を非常に増大させ、そしてこの問題は、ハウジング内の利用可能なスペースが非常に限られている（一般的に、米国電機製造業者協会（ＮＥＭＡ）のサイズ２３のモータについての約４〜５ｉｎ3からＮＥＭＡのサイズ３４のモータについての約１０ｉｎ3（約１６３．８７０６４ｃｍ3）の範囲にある）小形の一体型モータ装置において悪化される。
【０００３】
これらの要因は、従来の一体型モータ装置においては適切に取り扱われていない。例えば熱を発生する酸化金属半導体電界効果トランジスタ（ＭＯＳＦＥＴ）及び熱に対して過敏なマイクロプロセッサ（並びに他の集積回路装置）を含む全ての電気要素は、一般的に、モータドライブのハウジング内に画成された共通の密閉スペースに閉じ込められていて、一体型モータ装置の諸部品及び諸要素は、熱の最適な伝達及び消散を可能にするように配置されていない。
【０００４】
しかしながら、従来の技術は、本発明が向けられている種類の一体型モータ装置において冷却効果をもたらすことの望ましさを認識している。特許文献１は、駆動回路構成要素を冷却するためにドライバハウジング内でモータシャフトにファンが装着されているステップモータを開示している。ファンを収容して適切に支持するためのスペース及び構造的要求は、必然的に且つ相当に、モータ装置全体の大きさ及び重量を増加させ、そのためこの特許文献１に記載の構造は小形の一体型モータ装置には特に不向きであることが分かるであろう。
【先行技術文献】
【特許文献】
【０００５】
【特許文献１】特開昭６０−１６６２６４号公報（特願昭５９−５５２３８号）
【特許文献２】特開２００４−１３５４９２号公報
【発明の概要】
【発明が解決しようとする課題】
【０００６】
本発明の広義の目的は、熱伝達及び消散の取扱いの改善により特性を最適化する且つ特性が最適化されている一体型モータ装置および、その放熱方法を提供することである。
本発明のより具体的な目的は、かかる特性を有する、比較的に小形で且つコンパクトである一体型ステップモータ、サーボモータ、又はハイブリッドモータ装置および、その放熱方法を提供することである。
【０００７】
本発明の上述の目的及び関連目的は、モータ及び統合ドライバからなる装置であって、モータに電流を供給するための該装置の少なくとも１つの熱発生電気要素がモータ本体部と効果的に熱伝導接触して配置されていると共に、少なくとも１つの熱過敏性電気要素（代表的には制御部品）が該モータ本体部から遠く離れて配置されている装置を提供することにより概して達成される。このモータ装置に組み込まれた全ての熱発生電気要素は、通常、モータ装置に供給された電力の少なくとも約１０％に匹敵する量の熱を累積的に発生するであろうし、また、各熱過敏性電気要素は、通常、１００℃の最高温度、より典型的には約８５℃の最高温度を有しているであろう。
【０００８】
熱絶縁手段が熱過敏性電気要素（単数又は複数）と熱発生電気要素（単数又は複数）との間に、有効に入れるのが有利である。かかる熱絶縁手段は、（ａ）実質的に滞留空気スペースを画成する構造、及び／又は（ｂ）熱エネルギーを保護された熱過敏性電気要素から離れるよう反射させるべく構成されかつ配置された（例えば、間挿シート、フィルム又はフォイルの）放射−反射表面から概して構成されるであろう。
【０００９】
本発明のモータ装置は、通常、熱発生電気要素（単数又は複数）を実質的に囲む第１ハウジングと、熱過敏性電気要素（単数又は複数）を実質的に囲む事実上別個の第２ハウジングとを含んでおり、該第１及び第２ハウジングは、比較的に低熱伝導率の材料（通常、合成樹脂材料）から製造されるであろう。熱発生電気要素（単数又は複数）は、通常、電子式電力スイッチ装置（例えば、酸化金属半導体電界効果トランジスタ（ＭＯＳＦＥＴ）、統合ゲートバイポーラトランジスタ（ＩＧＢＴ）、統合電力モジュール（ＩＰＭ）又はバイポーラトランジスタ）ばかりでなく、電流検知抵抗器、電力抵抗器、又はそれらの双方から構成されるであろう。通常、モータ装置において採用される熱発生電気要素の全ては、共通の装着板に搭載されるのが望ましく、これは、モータに作動可能に取り付けられると共に、熱をより効率的に分布且つ消散させ、それによりホットスポットを避けるように、高熱伝導率の金属（例えば、アルミニウム）から製作されるのが有利であろう。通常熱的利点が幾分落ちる例えばガラス繊維充填エポキシのような他のＰＣＢ基板を使用することもできる。
【００１０】
熱過敏性電気要素は、通常、マイクロプロセッサ（ＣＰＵ）と、少なくとも１つの他の集積回路（ＩＣ）制御器（例えば、結合プログラム可能論理回路（ＣＰＬＤ）、演算増幅器又はＤＣ／ＤＣ変換器（レギュレータＩＣ、コイル、コンデンサ及びダイオードを含む）等）とである。本モータ装置のような工業製品において使用されるＩＣ装置は、通常、最高定格作動温度を有していて、対応する囲い内に最高雰囲気温度限界を課し、熱的停止点に関する適切な安全余裕を与えるであろう。例えば、最も熱に敏感な要素の最高有効作動温度が８５℃である場合、最高雰囲気温度限界は典型的には７５〜８０℃であろう。
【００１１】
熱発生電気要素（単数又は複数）及び熱過敏性電気要素（単数又は複数）は、これらニ種の要素を互いに物理的及び熱的に実質的に隔てるよう事実上分離されたモータ装置の部分と部分とに存在しているのが好ましいであろう。保護された制御部品（単数又は複数）の近くから離れる方に伝導熱の伝達を増すため、これらの部分、幾つかの電気要素、モータ本体部、及びハウジング部品間に配設される熱パッド等のような複数の熱伝導要素が設けられることが望ましいであろう。
【課題を解決するための手段】
【００１２】
本発明は、上記課題を解決するため、本体部を有するモータと、該モータに電流を供給するための少なくとも１つの熱発生電気要素と、少なくとも１つの熱過敏性電気要素とから構成される一体型モータ装置であって、前記熱発生電気要素は、前記モータの前記本体部と実際に熱伝導接触して配置されており、前記熱発生電気要素は前記モータに電流を供給するための駆動出力要素であり、前記熱過敏性電気要素は制御要素であり、前記少なくとも１つの熱発生電気要素及び前記モータと、前記少なくとも１つの熱過敏性電気要素との間が、互いに物理的及び熱的に事実上隔てられた前記一体型モータ装置の部分と部分とに存在している、一体型モータ装置にある。
【発明の効果】
【００１３】
本発明により提供される一体型モータ装置においては、また同一体型モータ装置により、熱エネルギーの流れ及び消散の取扱い改善により特性が最適化されることが分かる。更に本発明は、かかる特性を有する比較的に小型かつコンパクトである、一体型ステップモータ、サーボモータ又はハイブリッドモータを提供する。放射、対流及び伝導メカニズムによる熱に敏感な諸要素への熱エネルギーの伝達は、モータ装置への反射素子、停滞空気スペース、並びに／或いは、高熱伝導率又は低熱伝導率の材料から選択的に製造される部品及び素子の組込みにより、低減される。
【図面の簡単な説明】
【００１４】
【図１】本発明を実施する統合ステップモータ装置の立面図であり、諸ハウジング要素は内部の特徴を見せるために離されている。
【図２】図１のモータ装置の分解立面図であって、縮小したスケールで描かれている。
【図３】その分解斜視図である。
【発明を実施するための形態】
【００１５】
次に添付図面を詳細に参照すると、そこには、総括的に符号１０で表わされた、モータ及びセンサアセンブリと隣接センサカバー１４とを含むと共に、本発明を実施する、一体型ステップモータ装置が例示されている。モータは、回転子を囲む本体部（固定子）１２を含み、図では回転子の軸１３が見えている。また、該モータ及びセンサアセンブリは、モータの本体部１２に取り付けられたハウジング１５を含んでいる。前述した諸要素は、全体として、一体型ステップモータ装置のモータを構成すると一般に考えられる。
【００１６】
符号１６により総括的に表わされたプリント配線（ＰＣ）板は、例えば８個の酸化金属半導体電界効果トランジスタ（ＭＯＳＦＥＴ）１８のアレイと、例えば２個の電流検出抵抗器１７とに加えて、電力抵抗器１９（これはオプションであり、大きい制動負荷を受けて発生されたエネルギーを消散させるために外部から装着しうる）も搭載している。プリント配線板１６（ここでは時には“ＭＯＳＦＥＴ”ボードと呼ぶこともある）は、ねじ２０によりセンサカバー１４に組み付けられており、そしてセンサカバー１４を経由するモータ本体部１２への熱の効率的な伝導のために熱パッド２２が間挿されており、従って、これはＭＯＳＦＥＴ１８及び抵抗器１７，１９により発生されたエネルギーを消散させるための熱シンクとして機能する。カバーもしくはハウジング２４はプリント配線板１６及び熱パッド２２を覆って設けられている。前述したように、従来の一体型モータ装置において、熱を発生する要素であるＭＯＳＦＥＴ１８及び抵抗器１７，１９は、熱過敏性要素と一緒に共通のＰＣ板に装着されるのが典型的である。
【００１７】
総括的に符号２６で表わされた外側配置の制御板は、モータ装置用のマイクロプロセッサ（ＣＰＵ）２７を搭載すると共に、ねじ２０によりドライバケース２８に固定されている。熱パッド３０は、制御板２６とドライバケース２８との間に配置されていて、過熱からマイクロプロセッサ２７を保護するのに役立っている。ドライバハウジング３２は、ねじ２０によりドライバケース２８に取り付けられると共に、内側配置の制御板３４と外側配置の制御板２６の双方を共同して囲んでいる。これらの制御板２６，３４は多素子金属コネクタ３５により相互に電気的に接続されている。
【００１８】
比較的に大きな熱パッド（図示せず）を制御板２６，３４の間に配置して、熱をドライバケース２８に伝導する際に熱パッド３０と協働するようにしてよい。これらの熱パッドの使用により３〜４℃の温度低下を実現することができる。また、電力調整集積回路（内側の制御板３４の背面に装着されていて、見えない）から出る熱を伝える目的で、小さな熱パッド３７が電力調整集積回路とドライバケース２８の内壁との間に（外側の制御板２６に形成された切欠きを介して）配置されている。また、線間電圧フィルタとして機能するアルミニウムコンデンサ３３も制御板３４の背面に装着されている。
【００１９】
アルミニウム製の熱反射板３６は、ＭＯＳＦＥＴボード１６のカバー２４とドライバハウジング３２との間に画成されたスペースＢ−Ｂ（図１において対峙する矢印により指示されている）内に配置されている。可撓性の帯状ケーブル３８は、同スペースＢ−Ｂ内に配置されていて、ＭＯＳＦＥＴボード１６及び内側の制御板３４を電気的に接続する働きをしている。もっと慣用的な電気コネクタと比較すると、帯状ケーブル３８は、モータや、ＭＯＳＦＥＴボード１６にあって熱を発生する諸要素からの熱伝導を減少させる働きをすると共に、ドライバケース２８内の温度の低下（典型的には２〜３℃）に非常に寄与している。他方、金属コネクタ（例えば、金属コネクタ３５）の使用により制御板２６，３４を相互に電気的に接続してドライバケース（ここから熱を消散させることができる）への熱流を促進することが望ましく、それにより温度の低減に更に寄与する。
【００２０】
幾つかのドライバ−ハウジング部材、及びドライバ要素装着板は、２本の長いねじ４０によりモータ（センサハウジング及びモータ本体部）に取り付けられる。該ねじは、モータから並びに他の熱発生電気要素からの熱流を最少にするプラスチック構造のものであることが望ましく、金属ねじをプラスチックねじに換えることによりドライバケース内の雰囲気温度を２〜３℃だけ低減させることができる。
【００２１】
第１温度センサ４１は、ＭＯＳＦＥＴボード１６に搭載されてモータの温度を基本的に検知する働きをする。そして、第２温度センサ４２は、制御板２６に搭載されてドライバケース２８内の温度を基本的に検知する働きをする。第１及び第２温度センサ４１，４２の双方からの信号はＣＰＵ２７に送られるので、モータ部（例えば、１０５℃）又はドライバ部（例えば、８０℃）のどちらかの温度がユーザーがプログラムした限界に達したときに、目視又は可聴アラームを作動させるか、或いは他の適当なアクションを自動的に開始させることができる。この種のモータ装置において、ドライバ領域温度を監視することは慣行であることに注目しておいたほうがよい。この現モータ装置のモータ及びドライバ部は互いに物理的及び熱的に分離されているので、各部内の雰囲気温度を別々に監視することが容易に行なわれ、それにより最適の制御及び過熱防止が提供される。
【００２２】
モータ本体部１２、センサカバー１４、センサハウジング１５及びドライバケース２８は金属から形成されるのが普通であり（例えば、固定子は層状鋼構造のものであり、他の部分はアルミニウムから形成されるであろう）、比較的に高レベルの熱伝導率、従って優れた熱伝導性及び熱消散性を本質的にもたらすであろう。逆に、ＭＯＳＦＥＴボードのカバー２４及びドライバハウジング３２は合成樹脂材料（例えば、ポリブチレンテレフタレート）から形成されるのが普通であり、比較的に低レベルの熱伝導率、従って優れた熱絶縁性を本質的に与えるであろう。
【００２３】
上述したモータ装置は、諸熱過敏性電気要素を所定の上限温度未満に維持するように熱エネルギーの伝達及び消散を調節かつ制御する働きのある多数の特徴を実行することが分かるであろう。また、開示したこれらの特徴は、共同して最も効率的に機能すると共に、互いに相乗的に補完すると考えられるが、これらの特徴の各々は、単独でも、或いはどんな場合にも本発明の諸目的の達成を最も適当に進めるようなサブコンビネーションでも使用しうることが分かるであろう。
【００２４】
従って（また、前述の開示を参照すると）、本発明の一実施形態において、採用された電力スイッチ装置（例えば、ＭＯＳＦＥＴのアレイ）は、双方の制御板とは別個の、かつモータ／センサアセンブリの直ぐ近くに離間した位置へ該制御板からずれたＭＯＳＦＥＴボードに搭載されている一方、通常、かかる電力スイッチ装置は、制御板（その上にＣＰＵ及びその他の集積回路装置が搭載されている）の直近に配置された配電板に装着されている。他の全ての点で同一である種々の一体型ステップモータ装置を使用して行なったテストにおいて（モータ及びＭＯＳＦＥＴボードを除いて、全ての要素及びプリント配線板が約６５.５ｃｍ3（４in3）の密閉容積を占めていた）、モータを毎分３０回転及び全定格電流で１.５時間運転した後、温度測定を種々の個所で行なった。前述した従来の構造と比較すると、本発明を実施する一体型モータ装置において、ＭＯＳＦＥＴ、コンデンサ、制御板、ＣＰＵ、並びにドライバケースの外部及びフィンの近くで測定した温度に大きな低下が確認された。モータ結線及び端栓においてのみ温度上昇が確認された。
【００２５】
他のテストは、電流検知抵抗器及び電力抵抗器を配電板から別個のＭＯＳＦＥＴボードに移すことにより上述した従来の一体型モータ装置を再構成した後に行なわれた。そうすることにより、ドライバハウジング内で高くなった温度が実質的に低下することが分かった。
【００２６】
モータ／センサアセンブリとドライバ部構造との間にスペースを形成し、それにより実質的に何ら対流熱の流れが起きない停滞空気スペース（これは、必要ならば、周方向に開放しうることを理解すべきである）を画成するようにモータ装置ハウジングを構成することにより、大きな温度低下を生じさせることが分かった。また、合成樹脂材料からのＭＯＳＦＥＴボードカバーの製造は、熱絶縁効果に大きく寄与することも分かった。
【００２７】
最後に、反射アルミニウムシートがモータ／センサアセンブリとドライバ部との間に介在した一体型モータ装置に関して行なわれたテストは、それにより更なる相当な熱絶縁効果がもたらされることを実証した。前述したように、反射要素は、赤外線を諸熱過敏性電気要素の一部又は全部から離れるよう指向させるのに有効な任意の形態とすることができる。該反射要素は、例えば、モータ装置の研磨もしくは鍍金した構造部分、反射シート、真空蒸着フィルム、又は金属フォイルからなっていてよい。前述したように、ＭＯＳＦＥＴボードを制御板に接続するために可撓性の帯状ケーブルを使用することは、多数の金属ピンから構成される差込み可能のコネクタを採用した従来のモータ装置と比較して、熱伝達を望ましく減少させることも分かった。
【００２８】
概して、電力スイッチ装置と、多くの熱量を発生する他の諸要素（これらは、通常、機能的に駆動電子機器回路の一部である）とのために別個の“配電”板を提供すると共に、配電板をモータの直ぐ近くに物理的に位置決めすることにより、熱は、モータ本体部全体に効果的に散逸される。このことや、諸熱過敏性電気要素及び諸熱発生電気要素間における非対流空気層の確立や、赤外線を効率的に反射する表面の介在はいずれも、（通常、２つの主要部を有する一体型モータ装置のドライバ側からモータ側への）熱エネルギーの流れ及び／又は伝達を調節し指示する、従って、過熱の影響を受け易い諸駆動回路要素の近傍における温度を低下させるのに貢献する。事実上、モータ本体部は熱シンク及び熱放射体として使用され、そして諸熱過敏性電気要素は諸熱発生電気要素から分離されている。その結果、モータ装置の実用運転範囲が広がり、延いては最適特性が可能とされる。
【００２９】
一体型モータ装置の諸熱過敏性電気要素から電力スイッチ装置（ＭＯＳＦＥＴ）及び他の諸熱発生電気要素を分離させることは、全て、ドライバケースにより散逸しなければならない熱の量を最少とし、延いてはその大きさを最少にすることを可能にする。ＭＯＳＦＥＴ及び他の諸熱発生電気要素をそのように再配置する機能は、異なる速度でのモータ及びＭＯＳＦＥＴの補完的熱発生特性のため実現可能である。従って、モータにより発生される熱の量はモータ速度の上昇につれて増加すること、そして逆に電力スイッチ装置により発生される熱の量はモータ速度の上昇につれて減少することが知られている。その結果、熱シンクとして機能するモータ／センサハウジングアセンブリは、モータ装置の諸電子的熱発生要素とモータとにより発生される熱の最大量をいっせいに消散させることを必要とされない。
【００３０】
本発明の概念は、少なくとも１つの熱発生電気要素と少なくとも１つの熱過敏性電気要素とが含まれていると共に該熱過敏性電気要素が作動温度に対して上限を課している統合電気ドライバを採用したどんなモータ装置にも事実上適用可能であることが分かるであろう。この点に関し、マイクロプロセッサ及び他のＩＣ（それらの全ては、通常、熱過敏性である）は、作動中に多少の熱を一般的に発することが分かるであろう。しかしながら、これに関係する熱の量は多くはなく（ＭＯＳＦＥＴ及び電力検知抵抗器により一般的に発生される１２ワットほどと比較して、約１ワットを超えていない）、従って、ＩＣにより発生される熱がモータ装置の作動又は特性に制約を課すことはないことが分かるであろう。また、以前に言及した入力電圧安定化コンデンサ（これは約１０５℃での作動が典型的であると評価されている）のような一部の要素は、通常、熱停止限界を定めないが、それらを比較的に低温に維持することは、化学的エージング（chemical aging）の速度を減じて、それによりそれらの有効寿命を最大化するのに役立つであろう。
【００３１】
モータ装置において採用された電子制御の特質は、広範囲にわたって変わりうるし、また本発明の範囲についての限定となることはないが、有利に用いられうる適当な制御装置の一つはホダ(Hoda)等の米国特許第６,１２１,７４４号明細書に開示されており、同明細書の全体はその参照によりここに組み込まれる。この米国特許については、回転子位置を検出するための位置検出部と、該位置検出部の出力信号を指令位置信号と比較すると共に、該出力信号及び該指令位置信号間の偏差に基づいて、モータの巻線に流れるべき電流に対応する信号を出力する制御部と、該制御部の出力信号に基づいて前記モータの前記巻線に供給されるべき電流を出力すると共に、前記指令位置信号に基づいて前記モータの位置を制御するドライバ部とから構成される一体型モータ装置のための位置制御装置を開示する、と言えば十分である。制御部は、偏差が９０°の電気角の範囲内にあるときに、正弦波データテーブルから前記指令位置信号に対応する正弦波データ信号を出力する。そして同制御部は、偏差が９０°の電気角を越えるときに、モータが回転子位置を９０°の電気角だけリードする励起安定点に達するような方法でモータを励起する正弦波データ信号を前記正弦波データテーブルから出力する。
【００３２】
技術的に使用されている通り、“ドライバ”及びその諸要素という呼称は、熱を発生する電子的な諸“駆動”要素及び熱に敏感な電子的な諸“制御”要素の双方を含んでいることを強調しておくべきであろう。モータ部との電子“ドライバ”部（これはモータへの電流の供給を行なうと共に制御する）の統合とは、上述した装置“一体型モータ装置”として特徴付けることである。
【００３３】
従って、本発明により提供される一体型モータ装置においては、また同一体型モータ装置により、熱エネルギーの流れ及び消散の取扱い改善により特性が最適化されることが分かる。更に具体的に言うと、本発明は、かかる特性を有する比較的に小型かつコンパクトである、一体型ステップモータ、サーボモータ又はハイブリッドモータを提供する。放射、対流及び伝導メカニズムによる熱に敏感な諸要素への熱エネルギーの伝達は、モータ装置への反射素子、停滞空気スペース、並びに／或いは、高熱伝導率又は低熱伝導率の材料から選択的に製造される部品及び素子の組込みにより、低減される。
【符号の説明】
【００３４】
１０  一体型ステップモータ装置
１２  モータ本体部
１４  モータカバー
１６  プリント配線板
１８  酸化金属半導体電界効果トランジスタ
１７  電流検出抵抗器
１９  電力抵抗器
２０  ねじ（締結具）
２２  熱パッド
２４  カバーもしくはハウジング
２６  制御板（装着板）
２７  マイクロプロセッサ（ＣＰＵ）
２８  ドライバケース
３０  熱パッド
３２  ドライバハウジング
３３  コンデンサ
３４  制御板（装着板）
３５  多素子金属コネクタ
３７  熱パッド
３６  熱反射板
３８  帯状ケーブル
４０  ねじ
４１  第１温度センサ
４２  第２温度センサ
Ｂ
【図１】
0005506750.tif 000002
【図２】
0005506750.tif 000003
【図３】
0005506750.tif 000004